(57)【要約】　　　（修正有）【課題】内刃にコーティングされる樹脂の密着性を高め、樹脂厚を均一に調整可能であり、しかも回転効率を向上できる電気かみそりの内刃ユニットを提供する。【解決手段】外方にドーム状に膨出したリブ１２により多数の孔１１が形成された外刃１の刃面３に摺接する内刃２を備えた電気かみそりの内刃ユニットにおいて、当該外刃１の刃面３と摺接する内刃２の刃面４に凹部５を形成し、該凹部５に樹脂６を充填することにより内刃２の刃面４の摺動を滑らかにして回転効率を改善する。【選択図】　図１
2004000549.tif 000002
【特許請求の範囲】
【請求項１】
電気かみそりの本体ケースの上部に、外刃に摺接する内刃を備えた電気かみそりの内刃ユニットにおいて、
前記外刃の刃面に摺接する前記内刃の刃面に凹部が形成され、該凹部に樹脂が充填されていることを特徴とする電気かみそりの内刃ユニット。
【請求項２】
電気かみそりの本体ケースの上部に、外刃が外刃フレームに支持されて装着される電気かみそりの外刃ユニットにおいて、
前記外刃の外面部に形成された凹部に樹脂が充填されていることを特徴とする電気かみそりの外刃ユニット。
【請求項３】
前記外刃の外面凹部が形成された反対面側の内面凹部に樹脂が充填されていることを特徴とする請求項２記載の電気かみそりの外刃ユニット。
【請求項４】
前記外面凹部と内面凹部とが連通しており、該外面凹部と内面凹部とに連通孔を通じて樹脂が充填されていることを特徴とする請求項４記載の電気かみそりの外刃ユニット。
【発明の詳細な説明】
【０００１】
【発明の属する利用分野】
本発明は、回転式或いは往復式の電気かみそりの本体ケースの上部に、外刃に摺接する内刃を備えた電気かみそりの内刃ユニット及び外刃が外刃フレームに支持されて装着される電気かみそりの外刃ユニットに関する。
【０００２】
【従来の技術】
回転式或いは往復式の電気かみそりは、駆動源（モータ）、駆動機構、電源部、操作スイッチなどを備えた本体ケースの上部に、内刃ユニット及び外刃ユニットが着脱可能に組み込まれた刃ヘッド部が設けられている。
【０００３】
内刃ユニットは樹脂製の内刃基台上に複数の内刃が周方向に起立形成されている。内刃ユニットは、内刃基台が本体ケース側より延設された駆動軸の軸端に嵌合して、刃ヘッド部に装着される。また、外刃ユニットは、外刃フレームに外刃が一体に支持されている。外刃ユニットは内刃ユニットを覆って刃ヘッド部に装着される。上記内刃ユニットは、刃ヘッド部に１箇所のみに設けられる製品もあるが複数箇所に設けられる製品もある。
【０００４】
外刃と内刃の対向面には刃面が各々形成されている。外刃は、例えば髭が入り込む孔がリブにより仕切られて網目状に形成されている。内刃は、例えば内刃基台と共に回転駆動若しくは往復動され、内刃の刃面が外刃の刃面に摺動して回転若しくは往復動する際にリブにより仕切られた孔より入り込んだ髭を剃り落とすようになっている。
【０００５】
図３に、回転式電気かみそりの外刃５１と内刃５２との配置を例示する。外刃５１の髭が進入する孔５７を仕切るリブ５８の外面部５３には、肌当たりを良くしたり、特有の意匠デザインを施すためにテフロン（登録商標）などの樹脂５４がコーティングされているものがあった。また、外刃５１の内面凹部５５にも内刃５２の刃面５６の摺動をスムーズにするため樹脂５４が充填されたものもある。
【０００６】
【発明が解決しようとする課題】
図３に示す外刃５１において、外面部５３や内面凹部５５にコーティングされた樹脂５４の付着力が確保されていないと使用中に剥離し易いという課題があった。例えば、外面部５３の樹脂５４が剥離すれば、肌当たりが悪くなり、デザイン性も低下する。また、内面凹部５５の樹脂５４が剥離すれば、内刃５２の刃面５６との摩擦が大きくなり、回転効率（往復式においては振動効率）が低下する。また、特に外刃５１の外面部５３に塗付される樹脂５４の厚さを調整する場合、基準になるものがないため、場所毎に樹脂厚が不均一になるという課題があった。
【０００７】
本発明の目的は、上記従来技術の課題を解決し、外刃及び内刃にコーティングされる樹脂の密着性を高め、樹脂厚を均一に調整可能であり、しかも内刃の駆動効率を向上できる電気かみそりの内刃ユニット及び外刃ユニットを提供することにある。
【０００８】
【課題を解決するための手段】
上記課題を解決するため、本発明は次の構成を備える。
即ち、電気かみそりの本体ケースの上部に、外刃に摺接する内刃を備えた電気かみそりの内刃ユニットにおいて、前記外刃の刃面に摺接する前記内刃の刃面に凹部が形成され、該凹部に樹脂が充填されていることを特徴とする。
【０００９】
また、電気かみそりの本体ケースの上部に、外刃が外刃フレームに支持されて装着される電気かみそりの外刃ユニットにおいて、前記外刃の外面部に形成された凹部に樹脂が充填されていることを特徴とする。
また、前記外刃の外面凹部が形成された反対面側の内面凹部に樹脂が充填されていることを特徴とする。
また、前記外面凹部と内面凹部とが連通しており、該外面凹部と内面凹部とに連通孔を通じて樹脂が充填されていることを特徴とする。
【００１０】
【発明の実施の形態】
以下、本発明の好適な実施の形態について添付図面と共に詳述する。
電気かみそりは回転式と往復式（レシプロ式）とがあるが、以下の実施例では回転式電気かみそりについて例示する。
図１は内刃及び外刃の部分拡大断面図、図２は他例に係る内刃及び外刃の部分拡大断面図である。
【００１１】
先ず、回転式電気かみそりの概略構成について説明する。
駆動源や駆動機構を備えた本体ケースの上部に、外刃ユニットと内刃ユニットを備えた刃ヘッド部が設けられている。内刃ユニットは樹脂製の内刃基台上に複数の内刃が周方向に起立形成されている。内刃ユニットは、内刃基台が本体ケース側より延設された駆動軸の軸端に嵌合して、刃ヘッド部に装着される。また、外刃ユニットは、外刃フレームに外刃が支持されている。外刃ユニットは内刃ユニットを覆って刃ヘッド部に装着される。
【００１２】
図１において、外刃１と内刃２とは対向して配置されている。外刃１及び内刃２は、ステンレススチールなどの金属刃が用いられている。外刃１は例えば網目状に形成され、外方にドーム状に膨出したリブ１２により多数の孔１１が形成されている。外刃１と内刃２の対向面、即ち本実施例では外刃１のリブ１２の端面に刃面３が形成され、内刃２の先端に刃面４が形成されている。内刃２は図示しない内刃基台と共に回転駆動され、内刃２の刃面４が外刃１の刃面３に摺動して回転する際に、リブ１２に仕切られた孔１１より内側へ入り込んだ髭を剃り落とすようになっている。
【００１３】
内刃２の刃面４には凹部５が形成されている。この凹部５には、例えばテフロン（登録商標）樹脂やフッソ樹脂などの樹脂６が充填されている。この樹脂６は凹部５に例えば吹き付けなどにより充填されており剥離し難くなっている。また、樹脂６は凹部５の上縁部が基準になるので刃面４より厚く充填されることはなく、樹脂厚の調整も容易に行える。上記凹部５に充填された樹脂６により、内刃２の刃面４の摺動を滑らかにして回転効率を改善することができる。
【００１４】
また、外刃１のリブ１２の外面部７には外面凹部８が形成されている。この外面凹部８に、例えばテフロン（登録商標）樹脂やフッソ樹脂などの樹脂６が充填されている。この樹脂６は外面凹部８に例えば吹き付けなどにより充填されており、剥離し難くなっている。樹脂６は外面凹部８の上縁部が基準となるので、外面部７より厚く充填されることはなく、樹脂厚の調整も容易に行える。上記外面凹部８に均一に充填された樹脂６により、外刃１の肌当たりを良くすることができ、また樹脂６が剥離し難いため、外面部７に施された特有の意匠デザインが損なわれずに、デザイン性も維持できる。尚、リブ１２に形成された樹脂６が充填される外面凹部８は、髭などのシェービングエリアに相当するリブ１２の全域若しくは部分的に形成されているのが好ましいが、シェービングエリア外（例えば外刃１に形成された飾り孔どうしを仕切るリブなど）に、全域或いは部分的に形成されていても良い。或いは、外刃１の全域にわたって樹脂６が充填される外面凹部８が形成されていても良い。
【００１５】
また、図１において、外刃１の外面凹部８が形成された反対面側の内面凹部９にも樹脂６が充填されていても良い。これにより、内刃２の刃面４に埋めこまれた樹脂６との相乗効果により内刃２の摺動がよりスムーズになり、回転効率の向上が期待できる。
【００１６】
また、他例としては、図２において、内刃２の構造は同様であるが、外刃１の外面凹部８と内面凹部９とが連通孔１０により連通していても良い。この場合、外面凹部８と内面凹部９とは連通孔１０を通じて樹脂６が充填されている。
この樹脂６も外刃１の外面凹部８及び内面凹部９より厚くならずに充填できるので、樹脂厚の調整が容易である。また、樹脂６の外刃１に対する食いつきを向上することができるので、外刃１の肌当たり性やデザイン性を良好に維持することができ、内刃２の刃面４の摺動がよりスムーズになり、回転効率を向上させることもできる。
【００１７】
以上、本発明の好適な実施例について述べてきたが、本発明は上述した回転式の電気かみそりに限定されるものではなく、往復式の電気かみそりの内刃ユニット及び外刃ユニットに適用することも可能である。また、外刃１の外面凹部８や内刃２の凹部４の形状やデザインは任意であり、充填される樹脂６の材質も任意である。また、内刃ユニットと外刃ユニットとは、１組設けられている製品でも、複数設けられている製品でも何れにも適用可能である等、発明の本旨を逸脱しない範囲で多くの改変を施し得るのはもちろんである。
【００１８】
【発明の効果】
本発明に係る電気かみそりの内刃ユニットを用いれば、外刃の刃面に摺接する内刃の刃面に凹部が形成され、該凹部に樹脂が充填されているので、内刃の刃面の摺動を滑らかにして回転効率を改善することができる。また、凹部に充填された樹脂は剥離し難く、樹脂厚の調整も容易に行える。
また、電気かみそりの外刃ユニットを用いれば、外刃の外面凹部に樹脂が充填されているので、外刃の肌当たり性やデザイン性を良好に維持できる。凹部に充填された樹脂は剥離し難く、樹脂厚の調整も容易に行えるので、外刃の厚さを任意に調整することができる。
また、外刃の外面凹部が形成された反対面側の内面凹部に樹脂が充填されている場合には、外刃及び内刃の刃面どうしの摩擦を減少させて駆動効率を改善することができる。
また、外刃の外面凹部と内面凹部とが連通しており、該外面凹部と内面凹部とに連通孔を通じて樹脂が充填されている場合には、樹脂の外刃に対する食いつきを向上することができるので、外刃の肌当たり性やデザイン性を良好に維持することができ、内刃の刃面との摺動がよりスムーズになり、回転効率を向上させることもできる。
【図面の簡単な説明】
【図１】内刃及び外刃の部分拡大断面図である。
【図２】他例に係る内刃及び外刃の部分拡大断面図である。
【図３】従来の内刃及び外刃の部分拡大断面図である。
【符号の説明】
１　外刃
２　内刃
３、４刃面
５　凹部
６　樹脂
７　外面部
８　外面凹部
９　内面凹部
１０　連通孔
１１　孔
１２　リブ
【図１】
2004000549.tif 000003
【図２】
2004000549.tif 000004
【図３】
2004000549.tif 000005